(57)【要約】【課題】  排水孔から水の流入時に排水孔を塞ぐように空気が滞留して排水孔の実効面積が狭くなることがない、排水がスムーズな排水部材を提供することを目的とする。【解決手段】  排水管に接続されたボウル部底部に設けられた排水口に取り付けられた排水部材であって、前記排水口に嵌め込まれる筒状軸部と、この筒状軸部の周面に穿設された複数の排水孔と、前記筒状軸部の上部に、この筒状軸部の外径よりも外方に広がるように設けられた傘部と、前記筒状軸部の内部であって、前記傘部の底面と前記排水孔の上端位置との間に形成されたエア溜まり空間部と、から成ることを特徴とする。【選択図】  図２
2010059701.tif 000002
【特許請求の範囲】
【請求項１】
排水管に接続されたボウル部底部に設けられた排水口に取り付けられた排水部材であって、
前記排水口に嵌め込まれる筒状軸部と、
この筒状軸部の周面に穿設された複数の排水孔と、
前記筒状軸部の上部に、この筒状軸部の外径よりも外方に広がるように設けられた傘部と
前記筒状軸部の内部であって、前記傘部の底面と前記排水孔の上端位置との間に形成され
たエア溜まり空間部とから成ることを特徴とする排水部材。
【請求項２】
前記複数の排水孔は、円形の形の孔であって前記筒状軸部の周面に上下に２列以上形成されていることを特徴とする請求項１記載の排水部材。
【請求項３】
前記複数の排水孔は、前記筒状軸部の周面に縦長形状に形成されていることを特徴とする請求項１記載の排水部材。
【請求項４】
前記傘部は、前記筒状軸部の上端外周から斜め下方に広がるように形成されており、その傘部の外周底面位置が前記エア溜まり空間部の高さ範囲内に位置していることを特徴とす請求項１乃至請求項３何れか一項に記載の排水部材。
【請求項５】
前記エア溜まり空間部は、前記排水孔の上下方向の開口高さの略半分以上の高さ範囲に亘って形成されていることを特徴とする請求項１乃至請求項４何れか一に記載の排水部材。
【発明の詳細な説明】
【技術分野】
【０００１】
本発明は、洗面器等のボウル部の底面に設けられた排水口に嵌め込まれて、小径の排水孔によって髪の毛などを捕獲するために使用される排水部材に関するものであり、特に、排水口からの排水を速やかに行うのに好適な排水部材に関する発明である。 
【背景技術】
【０００２】
従来の排水部材として、髪の毛などを捕獲するように排水孔が設けられた目皿を隠すように傘部が設けれたものが知られており、具体的には、図５に示すように、排水口塞ぐように平板状の目皿が設けられたものや、排水口に筒状部を嵌め込むようにし、その筒状部の周面に排水孔を設けて目皿の代わりとしたものが知られている。（例えば、特許文献１参照。）
【０００３】
図５（ａ）が排水部材を洗面器のボウル部底面に設けられた排水口に取付けられた状態を示し、図５（ｂ）が目皿の平面図を示す。この図５における排水部材は傘部６と目皿７とから構成されており、目皿７には複数の排水孔７ａが穿設されており、この目皿７が洗面器のボウル部底面に取り付けられた排水口金８に嵌めこまれによって取付けられている。目皿７の中央に傘部６の固定軸６ａを連接しており、目皿７の複数の排水孔７ａのトータル開口面積は排水口金８の内径面積と比べて小さく、そのため目皿７による排水抵抗が大きく、排水の妨げになるといった問題があった。
【０００４】
一方、特許文献１の排水部材においては上記した問題は発生しないが、垂直筒部に設けられた円形の通水孔は上端にあるカバーの底面近傍の高さ位置にまで設けられているため、通水孔から水が流入した際、垂直筒部に在った空気の一部が排水管側に押し出されることなく垂直筒部を上方に移動して、上方の通水孔からの水流入を阻害するように滞留してしまい、通水孔の実効面積が狭くなり、排水をスムーズに行うことができない恐れがあった。
【特許文献１】特開２００５−３４４３１３号公報
【発明の開示】
【発明が解決しようとする課題】
【０００５】
本発明は、上記問題を解決するためになされたもので、本発明の課題は、排水孔から水の流入時に排水孔を塞ぐように空気が滞留して排水孔の実効面積が狭くなることがない、排水がスムーズな排水部材を提供することを目的とする。
【課題を解決するための手段】
【０００６】
上記目的を達成するために請求項１記載の発明によれば、排水管に接続されたボウル部底部に設けられた排水口に取り付けられた排水部材であって、前記排水口に嵌め込まれる筒状軸部と、この筒状軸部の周面に穿設された複数の排水孔と、前記筒状軸部の上部に、この筒状軸部の外径よりも外方に広がるように設けられた傘部と、前記筒状軸部の内部であって、前記傘部の底面と前記排水孔の上端位置との間に形成されたエア溜まり空間部と、から成ることを特徴とする。
【０００７】
本発明によれば、排水孔から流入した水によって排水管側に押し出されることなく筒状軸部を上方に移動した空気をエア溜まり空間部に保留させておくことができ、排水孔を塞ぐように存在する空気量が少なくなるため排水孔の実効面積を広く確保することができ、排水をスムーズに行うことができる。
【０００８】
また、本発明によれば、前記複数の排水孔は円形の形の孔であって、前記筒状軸部の周面に上下に２列以上形成されていること、または、前記複数の排水孔は、前記筒状軸部の周面に縦長形状に形成されていることを特徴とする。
従って、排水初期に排水孔下側から流入した水によって上に押し上げられた空気の一部が排水孔上側から排出されるため、筒状軸部に滞留する空気量を少なくする事が出来、排水孔を塞ぐように存在する空気量を一層少なくすることができる。特に、排水孔を円形として上下に２列以上形成しておけば、個々の排水孔の最大内径を小さくでき、コンタクトレンズといった小型の物を確実に捕獲することができる。
【０００９】
また、本発明によれば、前記傘部は前記筒状軸部の上端外周から斜め下方に広がるように形成されており、その傘部の外周底面位置が前記エア溜まり空間部の高さ範囲内に位置していることを特徴とする。
従って、傘部によって筒状軸部の周面に設けられた排水孔に向かう水の流れを阻害することなく、且つ、上面から見たときに排水孔を隠すことができる。
【００１０】
また、本発明によれば、前記エア溜まり空間部は、前記排水孔の上下方向の開口高さの略半分以上高さ範囲に亘って形成されていることを特徴とする。
従って、排水孔上側から抜け出ることが出来なかった空気が筒状軸部内に残っていても、排水孔からの水の流入によってその流入の障害となることがない状態でエア溜まり空間部に滞留できる。
【発明の効果】
【００１１】
本発明によれば、排水孔を塞ぐように存在する空気量が少なくなるため排水孔の実効面積を広く確保することができ、排水をスムーズに行うことができるという効果がある。
【発明を実施するための最良の形態】
【００１２】
以下、本発明の実施形態を図面に基いて説明する。
図１は、本発明の第一の実施形態に係る排水部材の全体斜視図であり、図２は、図１における排水部材を排水口に取付た状態の断面図である。
【００１３】
図１に示すように、排水部材Ａは、略円板状の傘部１と略円筒状の筒状軸部２とから構成されている。傘部１は外側に向かって緩やかに下り傾斜している。また、筒状軸部２は周面に排水孔が穿設されており、具体的には、複数の上部排水孔２ａと複数の下部排水孔２ｂが上下２列となるように、筒状軸部２の内側の中空部２ｃと外側とを貫通して形成されている。なお、上部排水孔２ａと下部排水孔２ｂは同じ直径（７ｍｍ）を有するを円形孔から形成されている。
傘部１の底面から傘部ネジ部１ａが下側に突出形成されており、その外周面には雄ネジが形成されている。一方、筒状軸部２の上部内周面には、傘部ネジ１ａの雄ネジと螺合する雌ネジである軸部ネジ部２ｄが形成されており、傘部ネジ部１ａと軸部ネジ部２ｄとの螺合により排水部材Ａは組み立てられる。
なお、傘部１と筒状軸部２は金属・樹脂・ガラス等、水や洗剤などに侵されない材質であれば何でもよい。
【００１４】
図２に排水部材Ａを洗面器の底部に取り付けた状態を示す。排水部材Ａを洗面器のボウル部底面に設けられた排水口に固定されている排水口金４に取付けるため、筒状軸部２の下側は排水口金４のテーパ面に嵌り込むようテーパ形状とした軸テーパ部２ｅが形成されており、その軸テーパ部２ｅの先端付近の外周にＯリング溝２ｆを設けてＯリング５をはめ込んでいる。そして、排水口金４のテーパ面の下端内周にも溝４ａが設けられており、排水部材Ａを排水口金４に嵌め込むとＯリング５が溝４ａに嵌り、それにより上下方向の移動が規制されて不用意に外れず、一方、意図的に外したいときには外せるようになっている。
【００１５】
洗面器の使用において、ボウル部内の水位が上部排水孔２ａの下端高さより低い時は、下部排水孔２ｂを通って中空部２ｃへ流れ込み排水口金４内を通って排水管へ流出する。その排水時において、中空部２ｃ内に溜まっていた空気は排水に押し上げられて上部排水孔２ａから排出される。そのため、中空部２ｃにおいて下部排水孔２ｂを塞ぐように空気が存在することがなく、下部排水孔２ｂから流入した排水は速やかに排水管へと流出される。
【００１６】
一方、排水水位が上部排水孔２ａの上端高さよりも高く排水孔２ａが水没する場合は、前述したように上部排水孔２ａが空気の排出経路とはならないが、中空部２ｃの上部には、上部排水孔２ａの上端位置から傘部１の底面との間にエア溜まり空間部２ｇが形成されており、上部排水孔２ａ及び下部排水孔２ｂから流入した排水によって押し上げられる中空部２ｃに溜まっていた空気はエア溜まり空間部２ｇに気泡となって停留するため、,その気泡が上部排水口２ａ及び下部排水口２ｂを塞いで排水の妨げとなることがなく、スムーズな排水が得られる。
【００１７】
特に、エア溜まり空間部２ｇは、上部排水孔２ａと下部排水孔２ｂの上下方向の開口高さである夫々の排水孔直径の合計値の半分以上となる高さ範囲に亘って形成されている。そのため、排水水位が上部排水孔２ａの下端位置よりも高くなって、その後に水位が急上昇して、中空部２ｃにおける上部排水孔２ａの下端位置より上にある空気が排気されずにエア溜まり空間部２ｇへ浮上してきたとしても、このエア溜まり空間部２ｇの上下方向の高さは、上部排水口２ａの上下方向高さとなるその直径７ｍｍと同じ７ｍｍの高さに形成されているため、エア溜まり空間部２ｇでの気泡の圧縮率を２倍以下とすることができ、圧縮された空気の圧力を大気圧の２倍以下となるため、排水の流入を阻害することなく、その流動圧によって空気をエア溜まり空間部２ｇに押し留めておくことが可能である。
なお、その流動圧によって空気をエア溜まり空間部２ｇに押し留めておくためには、筒状軸部２の内径がΦ３０ｍｍ程度であることを考慮すると、エア溜まり空間２ｇの上下方向高さは、５ｍｍ以上としておくことが好ましい。
【００１８】
また、前記傘部１は、前記筒状軸部２の外周から斜め下方に広がるように形成されており、その傘部の外周底面位置が、上部排水孔２ａの上端位置よりも高い前記エア溜まり空間部２ｇの高さ範囲内に位置している。従って、傘部１によって筒状軸部２の周面に設けられた上部排水孔２ａに向かう水平方向（図２における左右方向）の水の流れを阻害することなく、且つ、上方から見たときに上部排水孔２ａ，下部排水孔２ｂを隠すことができて意匠性に優れる。
【００１９】
なお、上記排水部材Ａにおいては、上部排水孔２ａと下部排水孔２ｂは同じ直径を有する円形孔であるため、排水孔の最大内径はその直径によって規定でき、その直径をコンタクトレンズの径よりも小さくしておけば、コンタクトレンズを捕獲して、その流出を確実に阻止することができる。なお、上部排水孔２ａの直径と下部排水孔２ｂの直径とは異なるものとしてもよく、その場合、水位上昇時に排水が流れる上部排水孔２ａの直径よりも、常時排水が流れる下部排水孔２ｂの直径を小さくしておけば、流出物の捕獲の面で有利である。
【００２０】
次に、本発明の第二の実施形態に係る排水部材について説明する。図３はその全体斜視図であり、図４は、図３における排水部材を排水口に取付た状態の断面図である。
この排水部材Ｂも、上記の第一の実施形態の排水部材Ａと同じく、傘部１と筒状軸部３とが螺合して構成されるものであり、大体の構成は同じであるが、排水孔の形状が異なる。具体的には、この第二の実施形態の排水部材Ｂにおいては、排水孔３ａは上下縦長で、縦１４ｍｍ，横は使用者が誤って流したコンタクトレンズなどを捕獲できる巾１ｍｍ程度とし、この排水孔３ａが周方向に等間隔で形成されている。
【００２１】
この排水部材Ｂにおける排水時の機能についても排水部材Ａと同様であり、中空部２ｃの上部には、排水孔３ａの上端位置から傘部１の底面との間にエア溜まり空間部２ｇが形成されており、このエア溜まり空間部２ｇは、排水孔３ａの上下方向の開口高さの半分以上となる高さ範囲となる７ｍｍの高さ形成されているため、排水水位が排水孔３ａの上下方向の高さの半分位置よりも高くなって、その後に水位が急上昇して、中空部２ｃにおける排水孔３ａの上下方向の開口高さの半分位置より上にある空気が排水されずにエア溜まり空間部２ｇへ浮上してきたとしても、このエア溜まり空間部２ｇの上下方向の高さは、排水口３ａの上下方向高さの半分よりも高い範囲に亘って形成されているため、エア溜まり空間部２ｇでの気泡の圧縮率を２倍以下とすることができ、圧縮された空気の圧力を大気圧の２倍以下となるため、排水の流入を阻害することなく、その流動圧によって空気をエア溜まり空間部２ｇに押し留めておくことが可能である。
なお、その流動圧によって空気をエア溜まり空間部２ｇに押し留めておくためには、筒状軸部３の内径がΦ３０ｍｍ程度であることを考慮すると、エア溜まり空間２ｇの上下方向高さは、５ｍｍ以上としておくことが好ましい。
【図面の簡単な説明】
【００２２】
【図１】本発明の第一の実施形態に係る排水部材の斜視図である。
【図２】図１における排水部材を排水口に取付た状態の断面図である。
【図３】本発明の第二の実施形態に係る排水部材の斜視図である。
【図４】図３における排水部材を排水口に取付た状態の断面図である。
【図５】従来の排水部材の断面図である。
【符号の説明】
【００２３】
Ａ，Ｂ…排水部材
１…傘部  １ａ…傘部ネジ部
２…筒状軸部  ２ａ…上部排水孔  ２ｂ…下部排水孔  ２ｃ…中空部
２ｄ…軸部ネジ部  ２ｅ…軸テーパ部  ２ｆ…Ｏリング溝  ２ｇ…エア溜まり空間部
３…筒状軸部  ３ａ…長孔排水孔
４…排水口金  ４ａ…溝  
５…Ｏリング  
６…傘  ６ａ…軸  ７…目皿  ７ａ…排水孔  ８…排水口金
【図１】
2010059701.tif 000003
【図２】
2010059701.tif 000004
【図３】
2010059701.tif 000005
【図４】
2010059701.tif 000006
【図５】
2010059701.tif 000007